(57)【要約】      （修正有）【課題】ポップアップ式紙組立品を提供する。【解決手段】前端に表紙を開閉可能な台紙と角形の天板部の複数の外縁部から起伏変形自在な側板部を延出させた紙製の下端部を上面に装着した内側台紙と表紙の開き動作に連動して天板を下方から押上げるポップアップ作動部材とを備え、表紙と内側台紙は、前後長さの途中個所において二つ折り可能で、内側台紙は、表紙の開閉動作に連動して一時上昇するように前端部が表紙の内側面に折曲自在に装着され、後端部が台紙の上面に折曲自在に装着され、表紙の内側面と台紙の上面とを区切る折曲部を跨る個所に装着され、内側台紙に設けた開口部からは突入自在な状態にあり、表紙を開き終える直前に、３Ｄモデルが内側台紙とともに下降し、表紙の後部面が水平姿勢になり作動部材が、平坦に折り畳まれていた天板部を内側下方から押上げて、平坦に折り畳まれていた３Ｄモデルを上方に押し起こして中空立体構造にさせるように構成されている。【選択図】図３
0003225611.tif 000002
【実用新案登録請求の範囲】
【請求項１】
前端に表紙を開閉可能に設けた台紙と、
角形の天板部の複数の外縁部から起伏変形自在な側板部を夫々延出させた紙製のポップアップ３Ｄモデルと、
該ポップアップ３Ｄモデルの下端部を上面に装着した内側台紙と、
前記表紙の開き動作に連動して該ポップアップ３Ｄモデルの天板を下方から押し上げるポップアップ作動部材とを備え、
前記表紙と前記内側台紙は、いずれも前後長さの途中個所において二つ折り可能であり、
該内側台紙は、前記表紙の開閉動作に連動して折曲変形して一時上昇するように、前端部が前記表紙の内側面に折曲自在に装着され、後端部が前記台紙の上面に折曲自在に装着され、
前記ポップアップ作動部材は、前記前記表紙の内側面と前記台紙の上面とを区切る折曲部を跨る個所に装着されて、前記内側台紙に設けた開口部から前記ポップアップ３Ｄモデル内に突入自在な状態にあり、
前記表紙を開き終える直前に、記ポップアップ３Ｄモデルが前記内側台紙とともに下降し、前記表紙の後部面が水平姿勢になることにより起立した前記ポップアップ作動部材が、平坦に折り畳まれていた前記ポップアップ３Ｄモデルの前記天板部を内側下方から押し上げて、平坦に折り畳まれていたポップアップ３Ｄモデルを上方に押し起こして、ポップアップした中空立体構造にさせるように構成されている、ポップアップ式紙組立品。
【請求項２】
前端に表紙を開閉可能に設けた台紙と、
角形の天板の複数の外縁部から起伏変形自在な側板部を夫々延出させた紙製のポップアップ３Ｄモデルと、
前記表紙の開き動作に連動して該ポップアップ３Ｄモデルを引き上げるポップアップ作動部材とを備え、
ポップアップ３Ｄモデルの下端部は、前記台紙の上面に屈曲自在に装着されており、
前記表紙を開けると、前記ポップアップ作動部材が、平坦に折り畳まれていた前記ポップアップ３Ｄモデルを引き上げて、ポップアップした中空立体構造にさせるように構成されている、ポップアップ式紙組立品。
【請求項３】
前記表紙を設けた前記台紙は、グリーティングカードである、請求項１又は２に記載のポップアップ式紙組立品。
【考案の詳細な説明】
【技術分野】
【０００１】  本願考案は、表紙を開けると、ポップアップ３Ｄモデルが平坦に折り畳まれた状態からポップアップした中空立体構造に起立する、ポップアップ式紙組立品に関し、このポップアップ式紙組立品は、ポップアップ式紙置物、ポップアップグリーティングカードとして使用される。
【背景技術】
【０００２】  ポップアップグリーティングカードは、従来から知られている。折り畳まれていた紙構造物が立体物にポップアップする立体カードも知られている（特許文献１）。
【先行技術文献】
【特許文献】
【０００３】
【特許文献１】登実３０５５０１０号公報
【考案の概要】
【考案が解決しようとする課題】
【０００４】  しかしながら、特許文献１に記載の立体物は、直角方向に開いた表紙の裏面が立体物の一部になっているため、独立した中空立体構造の３Ｄモデルではない。
独立した中空立体構造の３Ｄモデルであると、例えば、人形、電車や乗用車等の乗物、宇宙船、宇宙人、祭りの山車（だし）や神輿（みこし）、神社や寺などの建物、動物などのモデルが見栄え良く出来るため、人目を引く置物にもなり、受け取った人を驚かせるポップアップグリーティングカードにもなる。【０００５】  本願考案は、表紙を開けると、ポップアップ３Ｄモデルが、平坦に折畳まれていた状態から、押し起こされ、或いは、引き起こされて、独立した中空立体構造にポップアップする、ポップアップ式紙組立品を提供することを解決課題とする。
【課題を解決するための手段】
【０００６】  第１の態様（請求項１）に係るポップアップ式紙組立品は、次の構成を備える。
（１）前端に表紙を開閉可能に設けた台紙を備える。
（２）角形の天板部の複数の外縁部から起伏変形自在な側板部を夫々延出させた紙製のポップアップ３Ｄモデルを備える。
（３）該ポップアップ３Ｄモデルの下端部を上面に装着した内側台紙を備える。
（４）前記表紙の開き動作に連動して該ポップアップ３Ｄモデルの天板を下方から押し上げるポップアップ作動部材を備える。
（５）前記表紙と前記内側台紙は、いずれも前後長さの途中個所において二つ折り可能である。
（６）該内側台紙は、前記表紙の開閉動作に連動して折曲変形して一時上昇するように、前端部が前記表紙の内側面に折曲自在に装着され、後端部が前記台紙の上面に折曲自在に装着されている。
（７）前記ポップアップ作動部材は、前記前記表紙の内側面と前記台紙の上面とを区切る折曲部を跨る個所に装着されて、前記内側台紙に設けた開口部から前記ポップアップ３Ｄモデル内に突入自在な状態にある。
（８）前記表紙を開き終える直前に、記ポップアップ３Ｄモデルが前記内側台紙とともに下降し、前記表紙の後部面が水平姿勢になることにより起立した前記ポップアップ作動部材が、平坦に折り畳まれていた前記ポップアップ３Ｄモデルの前記天板部を内側下方から押し上げて、平坦に折り畳まれていたポップアップ３Ｄモデルを上方に押し起こして、ポップアップした中空立体構造にさせるように構成されている。【０００７】  第２の態様（請求項２）に係るポップアップ式紙組立品は、次の構成を備える。
（１）前端に表紙を開閉可能に設けた台紙を備える。
（２）角形状の天板の複数の外縁部から起伏変形自在な側板部を夫々延出させた紙製のポップアップ３Ｄモデルを備える。
（３）前記表紙の開き動作に連動して該ポップアップ３Ｄモデルを引き上げるポップアップ作動部材を備える。
（４）ポップアップ３Ｄモデルの下端部は、前記台紙の上面に屈曲自在に装着されており、
前記表紙を開けると、前記ポップアップ作動部材が、平坦に折り畳まれていた前記ポップアップ３Ｄモデルを引き上げて、ポップアップした中空立体構造にさせるように構成されている。【０００８】  第３の態様（請求項３）に係るポップアップ式紙組立品は、次の構成を備える。
（１）、請求項１又は２に記載のポップアップ式紙組立品であり、前記表紙を設けた前記台紙は、グリーティングカードである。
【考案の効果】
【０００９】  本願考案に係るポップアップ式紙組立品は、表紙を開けると、ポップアップ作動部材が連動して、平坦に折畳まれていたポップアップ３Ｄモデルを、押し起こし、或いは、引き起こして、中空立体構造にポップアップさせることが出来る。【００１０】  この結果、例えば、人形、電車や乗用車等の乗物、宇宙船、宇宙人、祭りの山車（だし）や神輿（みこし）、神社や寺などの建物、動物などを、見栄えの良い独立した中空立体構造を有する３Ｄモデルにポップアップさせることができる。【００１１】  これらのポップアップ式紙組立品は、見る人に大きな驚きと感動を与え、提灯のように全体に膨らみのある中空構造を有する、形状の完成度が高く、楽しく見栄えの良い紙製の置物、ポップアップグリーティングカードになる。
【図面の簡単な説明】
【００１２】
【図１】第１実施形態に係るポップアップ式紙組立品の分解斜視図。
【図２】このポップアップ式紙組立品に用いられているポップアップ３Ｄモデルの分解斜視図。
【図３】（ａ）〜（ｃ）はこのポップアップ式紙組立品におけるポップアップの流れを示した側面図。
【図４】（ａ）はこのポップアップ式紙組立品を表紙が閉じた状態で示した斜視図、（ｂ）はこのポップアップ式紙組立品のポップアップ直前の状態を示した斜視図。
【図５】（ａ）はこのポップアップ式紙組立品を表紙が開き終えた状態で示した斜視図、（ｂ）はこの要部拡大図。
【図６】このポップアップ式紙組立品の要部拡大側面断面図。
【図７】（ａ）（ｂ）は第２実施形態に係るポップアップ式紙組立品の斜視図。
【図８】このポップアップ式紙組立品に用いられているポップアップ３Ｄモデルの分解斜視図。
【図９】（ａ）〜（ｃ）はこのポップアップ式紙組立品におけるポップアップの流れを示した側面図。
【図１０】（ａ）（ｂ）は第３実施形態に係るポップアップ式紙組立品の斜視図。
【図１１】（ａ）〜（ｃ）はこのポップアップ式紙組立品におけるポップアップの流れを示した図。
【考案を実施するための形態】
【００１３】［第１実施形態に係るポップアップ式紙組立品］
図１において第１実施形態に係るポップアップ式紙組立品１に用いられる各部材を分解した状態で示す。
ポップアップ式紙組立品１は、表紙２ｃ付きの台紙２と、内側台紙４と、ポップアップ３Ｄモデル５と、ポップアップ作動部材１０とを必須部品として備える。
任意の付属品として、スタンド３、メッセージカード１２を支持するカード台紙１１を備える。
【００１４】  台紙２と表紙２ｃは、厚紙で形成されている。
表紙２は、台紙２の前端に延出して設けられており、表紙２と台紙２は、横向きの折曲部２ｆによって区切られている。
台紙２は、後述する内側台紙４の後端部を装着する個所を境にして、前板面２ａと後板面２ｂとに区切られている。
表紙２ｃは、横向きの折曲部２ｇによって前部面２ｄと後部面２ｅに区切られている。
表紙２ｃは、前部面２ｄと後部面２ｅとを略面を揃えた状態で閉じられ、表紙２ｃの開閉は折曲部２ｆを支点にして行われる。
台紙２の下面と表紙２ｃの背面（表面）には印刷がされている。印刷には多色の絵柄模様、文字も該当する。
前表紙２ｄの背面には背景が印刷されている。これらの印刷に代えて、印刷済の化粧紙を貼着させてもよい。
表紙２ｃの先端部には、スタンド３が折り曲げ自在に装着されている。
スタンド３は、窓部３ａを有し、図５（ａ）に示すように、表紙２ｃの前部面２ｅを直角方向に起立可能にさせる。
【００１５】  図１に示す内側台紙４は、厚紙で形成されており、横向きの折曲部４ｃを境にして、前部側のモデル支持部４ａと、後部側の支持板部４ｂとに区切られている。
モデル支持部４ａの略中央個所には、後述するポップアップ作動部材１０を挿通させる開口部４ｄが設けられている。
モデル支持部４ａ上面の開口部４ｄ周囲面は、ポップアップ３Ｄモデル５の下端部を糊付けにより装着する面になる。
【００１６】  内側台紙４は、折曲部４ｆ，で区切られた前端部４ｅを表紙２ｃの後部面２ｅの前端近傍面に貼着し、折曲部４ｇで区切られた後端部４ｈを台紙２の前板面２ａの後端近傍面に貼着することによって、表紙ｃと台紙２に装着されている。
モデル支持部４ａの片側縁部には、指先の操作で内側台紙４を上下に移動させる操作用舌片４ｉが設けられている。
内側台紙４の支持板部４ｂには、名刺サイズのメッセージカード１２を支持するカード台紙１１の下端部が折曲自在な状態で貼着されている。カード台紙１１の上端部は、後述する袖９の先端部に貼着されている。
【００１７】  ポップアップ３Ｄモデル５は、座った姿勢の若殿のモデルが例示されている。
図２に示すように、ポップアップ３Ｄモデル５は、頭部になる上段モデル６と、胴部になる下段モデル８と、袖９とを備える。
上段モデル６は、六角形状の天板部６ａと、天板部６ａの外縁部から夫々延出した側板部６ｂ，６ｂ・・と、六角形状の底板部６ｃと、底板部６ｃから延出した側板部６ｆと、髷（まげ）７とを備える。
髷７の後部面７ａは、上段モデル５の背面上部を形成する。
側板部６ｂ，６ｂ・・と髷７の後部面７ａには、多段の折曲部６ｃ，６ｃ・・が形成されている。
底板部６ｃの中央面には、開口部６ｅが設けられている。
上段モデル６は、側板部６ｂ，６ｂ・・の下端部を底板部６ｃの縁部に沿った上面に貼着し、髷７を天板部６ａと側板部６ｆとの間に懸架することにより、組み付けられている。
【００１８】  下段モデル８は、六角形状の天板部８ａと、天板部８ａの外縁部から夫々延出した側板部８ｂ，８ｂ・・と、六角形状の底板部８ｃとを備える。
側板部８ｂ，８ｂ・・の中央面にも折曲部８ｃ，８ｃ・・が形成されている。
底板部８ｃの中央面には、開口部８ｄが設けられている。
下段モデル８は、側板部８ｂ，８ｂ・・を底板部８ｃの縁部に沿った上面に貼着することにより、組み付けられている。
【００１９】  上段モデル６と下段モデル８は、底板部６ｃと天板部８ａとが袖９を挟んだ状態で貼着されて、一体となっている。
一体となったポップアップ３Ｄモデル５は、折曲部６ｃ，６ｃ・・、８ｃ，８ｃ・・があるため、提灯のように平坦に折り畳んだ状態から、高さ方向に膨らんだ状態にポップアップさせることが可能である。
【００２０】  図１に示すポップアップ作動部材１０は、表紙２ｃを開き終える直前に起立して、平坦に折り畳まれていたポップアップ３Ｄモデル５をポップアップさせる方向に押し上げるためにある。
ポップアップ作動部材１０は、曲げが生じにくい紙製の帯で出来た２本の脚部１０ａ，１０ｂと、フィルムテープ部１０ｃとを備える。
２本の脚部１０ａ，１０ｂの上端部は、フィルムテープ部１０ｃの後端部を挟んだ状態で、接着されている。
脚部１０ａ，１０ｂは、各後端部が表紙２ｃと台紙２の間に設けられている折曲部２ｆを跨った個所に装着されている。
フィルムテープ部１０ｃは、脚部１０ａ，１０ｂを内側台紙４の開口部４ｄ内からポップアップ３Ｄモデル５内に導かせるためにあり、前端部が図２に示す上段モデル６の天板６ａの裏面中央個所に装着されている。
【００２１】  図３、図４、図５は、ポップアップ３Ｄモデル５の略平坦な状態からポップアップをさせるまでに至る形状変化を示している。
図３（ａ）と図４（ａ）は、表紙２ｃが略閉じられた状態を示している。
図３（ｂ）と図４（ｂ）は、表紙２ｃが開かれて内側台紙４が上下逆Ｌ字形状に屈折変形して、モデル支持板部４ａが上昇した位置にある。ポップアップ直前の状態を示している。
図３（ｃ）と図５（ａ）（ｂ）と図６は、ポップアップ直前の状態から更に進んで、モデル支持板部４ａが元の位置まで下降し、起立したポップアップ作動部材１０によってポップアップ３Ｄモデル５が上方に押し上げられた（ポップアップした）状態を示している。
この押し上げは、モデル支持板部４の脚部４ａ，４ｂの前端部で天板６ａを押し上げる方法で行われる。
ポップアップしたポップアップ３Ｄモデル５は、中空立体構造を有する。
ポップアップ３Ｄモデル５が最大高さまで上方に押し上げられても、側板部６ｂ，６ｂ・・、８ｂ，８ｂ・・が完全に伸び終えていない状態にある。
このため、表紙２ｃを閉じると、円滑に元の平坦な状態になる。
図１〜図６に示すポップアップ３Ｄモデル５は、上段モデル６と下段モデル８とを備えた上下２段構造であるが、１段構造、提灯や蛇腹のような多段構造であってもよい。
天板６ａは、六角形に限らず、長方形や正方形、直線の外縁部がある異形状にすることも可能である。
【００２２】［第２実施形態に係るポップアップ式紙組立品］
図７（ａ）（ｂ）に示す第２実施形態に係るポップアップ式紙組立品２０は、前端に表紙２２を開閉自在に延出させた台紙２１と、内側台紙２３と、ポップアップ３Ｄモデル２４と、ポップアップ作動部材２７とを備える。
表紙２２の表面と内側台紙２３の表面には印刷がされている。印刷には多色の絵柄模様、文字も該当する。
【００２３】  内側台紙２３は、表紙２２の手前側面と台紙２１の表面に接着されている。
内側台紙２３には、切欠きにより手前側に起こすスタンド２３ａ，２３ａが形成されている。
スタンド２３ａ，２３ａは、表紙２２を直立姿勢にするためにあるが、必須構成部品ではない。内側台紙２４も必須構成部品ではない。
【００２４】  ポップアップ３Ｄモデル２４は、火星人のモデルであり、頭部になる上段モデル２５と、手脚部になる下段モデル２６とが一体となった２段構造で構成されている。
ポップアップ３Ｄモデル２４は、下段モデル２６の底が、内側台紙２３の表面に装着されて、内側台紙２３に装着されている。
内側台紙２３が無いポップアップ式紙組立品では、側板部２６ｂ，２６ｂの下端部が、直接、台紙２１の上面に装着されている。
【００２５】  ポップアップ作動部材２７は、矩形の紙片で構成され、一端部が内側台紙２３の起立可能な面に装着され、他端部が上段モデル２５の上端後部面に装着されて、表紙２２を開ける動作に引かれて、平坦に折り畳まれていたポップアップ３Ｄモデル２４を上方に引き上げる（ポップアップさせる。）。
ポップアップしたポップアップ３Ｄモデル２４は、中空立体構造を有する。
【００２６】  図８に示すように、上段モデル２５は、六角形状の天板部２５ａと、天板部６ａの複数の外縁部から延出した側板部２５ｂ，２５ｂ・・と、六角形状の底板部２５ｄとを備える。
側板部２５ｂ，２５ｂ・・には、多段の折曲部２５ｃ，２５ｃ・・が形成されている。
下段モデル２６は、六角形状の天板部２６ａと、天板部２６ａの複数の外縁部から延出した側板部２６ｂ，２６ｂ・・と、六角形状の底板部２５ｅとを備える。
側板部２５ｂ，２５ｂ・・の長さ方向の中央には、折曲部２５ｃ，２５ｃ・・が形成されている。
【００２７】  図９は表紙２２の開閉に伴うポップアップ３Ｄモデル２０の形状変化を示している。
スタンド２３ａ，２３ａは、表紙２２を直立させた後、指先の操作で手前側に起こされる。
図示していないが、１段構造のポップアップ３Ｄモデルにすることも可能である。
【００２８】［第３実施形態に係るポップアップ式紙組立品］
図１０（ａ）（ｂ）に示す第３実施形態に係るポップアップ式紙組立品３０は、表紙３２付きの台紙３１と、上下２段構造のポップアップ３Ｄモデル３３と、丈夫な紙テープで出来た２本のポップアップ作動部材３６，３７とを備える。
表紙３２の両面と台紙３１の表面には印刷がされている。印刷には多色の絵柄模様、文字も該当する。
【００２９】  ポップアップ３Ｄモデル３３は、人、人形、ロボット、建物等の原型になるもので、上段モデル３４と下段モデル３５とが上下に接続された、上下２段構造を有する。
上段モデル３４は、矩形の天板部３４ａと、天板部３４ａの四方の外縁部から延出した側板部３４ｂ，３４ｂ・３４ｃと、矩形の底板部３５ｄとを備え、側板部３４ｂ，３４ｂ・３４ｃの下端部が底板部３４ｄの縁部に沿った上面に折曲自在に装着された略箱形になっている。
側板部３４ｂ，３４ｂ・３４ｃの高さ中央個所には折曲部３４ｅ，３４ｅ・・が設けられており、このため、箱形を平坦な形状にすることが自在である。
【００３０】  下段モデル３５も同様に、矩形の天板部３５ａと、天板部３５ａの四方の外縁部から延出した側板部３５ｂ，３５ｂ・３５ｃと、矩形の底板部３５ｃとを備え、側板部３５ｂ，３５ｂ・３５ｃの下端部が底板部３５ｄの縁部に沿った上面に折曲自在に装着された略箱形になっている。
側板部３５ｂ，３５ｂ・３５ｃの高さ中央個所には折曲部３４ｅ，３４ｅ・・が設けられており、このため、箱形を平坦な形状にすることが自在である。
【００３１】  上段モデル３４の背面になる側板部３５ｃには、丈夫な紙テープ又はフィルムテープで出来たポップアップ作動部材３６の一端部が装着されている。
ポップアップ作動部材３６の他端部は、表紙３２の内側面の先端部に装着されている。
下段モデル３５の背面になる側板部３５ｃには、丈夫で張りのある紙テープ又はフィルムテープで出来たポップアップ作動部材３７の一端部が装着されている。ポップアップ作動部材３８の他端部は、表紙３２の内側面の低い位置に装着されている。
【００３２】  図１０、図１１に示すように、表紙３２を直立する向きまで開けると、平坦に折り畳まれていたポップアップ３Ｄモデル３３が、ポップアップ作動部材３６，３７によって引き上げられる（ポップアップする。）。ポップアップしたポップアップ３Ｄモデル３３は、中空立体構造を有する。
【産業上の利用可能性】
【００３３】  本願考案に係るポップアップ式紙組立品は、紙製のポップアップ式紙置物、ポップアップグリーティングカード等の文具の分野で利用される。
【符号の説明】
【００３４】［第１実施形態］
１…ポップアップ式紙組立品、２…台紙、２ｃ…表紙。３…スタンド、４…内側台紙、４ａモデル支持部、５…ポップアップ３Ｄモデル、６…上段モデル、６ａ…天板部、６ｂ…側板部、８…下段モデル、８ｂ…側板部、１０…ポップアップ作動部材、１０ａ…脚部、１０ｂ…脚部、１０ｃ…フィルムテープ部
［第２実施形態］
２０…ポップアップ式紙組立品、２１…台紙。２２…表紙、２３…内側台紙。２４…ポップアップ３Ｄモデル、２５…上段モデル、２５ａ…天板部、２５ｂ…側板部、２６…下段モデル、２６ｂ…側板部、２７…ポップアップ作動部材
［第３実施形態］
３０…ポップアップ式紙組立品、３１…台紙、３２…表紙、３３…ポップアップ３Ｄモデル、３４…上段モデル、３４ａ…天板部、３４ｂ…側板部、３５…下段モデル、３５ｂ…側板部、３６…ポップアップ作動部材、３７…ポップアップ作動部材
【図１】
0003225611.tif 000003
【図２】
0003225611.tif 000004
【図３】
0003225611.tif 000005
【図４】
0003225611.tif 000006
【図５】
0003225611.tif 000007
【図６】
0003225611.tif 000008
【図７】
0003225611.tif 000009
【図８】
0003225611.tif 000010
【図９】
0003225611.tif 000011
【図１０】
0003225611.tif 000012
【図１１】
0003225611.tif 000013
【手続補正書】
【提出日】令和1年12月19日(2019.12.19)
【手続補正１】
【補正対象書類名】実用新案登録請求の範囲
【補正対象項目名】請求項１
【補正方法】変更
【補正の内容】
【請求項１】
前端に表紙を開閉可能に設けた台紙と、
角形の天板部の複数の外縁部から起伏変形自在な側板部を夫々延出させた紙製のポップアップ３Ｄモデルと、
該ポップアップ３Ｄモデルの下端部を上面に装着した内側台紙と、
前記表紙の開き動作に連動して該ポップアップ３Ｄモデルの天板を下方から押し上げるポップアップ作動部材とを備え、
前記表紙と前記内側台紙は、いずれも前後長さの途中個所において二つ折り可能であり、
該内側台紙は、前記表紙の開閉動作に連動して折曲変形して一時上昇するように、前端部が前記表紙の内側面に折曲自在に装着され、後端部が前記台紙の上面に折曲自在に装着され、
前記ポップアップ作動部材は、前記表紙の内側面と前記台紙の上面とを区切る折曲部を跨る個所に装着されて、前記内側台紙に設けた開口部から前記ポップアップ３Ｄモデル内に突入自在な状態にあり、
前記表紙を開き終える直前に、前記ポップアップ３Ｄモデルが前記内側台紙とともに下降し、前記表紙の後部面が水平姿勢になることにより起立した前記ポップアップ作動部材が、平坦に折り畳まれていた前記ポップアップ３Ｄモデルの前記天板部を内側下方から押し上げて、平坦に折り畳まれていたポップアップ３Ｄモデルを上方に押し起こして、ポップアップした中空立体構造にさせるように構成されている、ポップアップ式紙組立品。
【手続補正２】
【補正対象書類名】明細書
【補正対象項目名】０００６
【補正方法】変更
【補正の内容】
【０００６】  第１の態様（請求項１）に係るポップアップ式紙組立品は、次の構成を備える。
（１）前端に表紙を開閉可能に設けた台紙を備える。
（２）角形の天板部の複数の外縁部から起伏変形自在な側板部を夫々延出させた紙製のポップアップ３Ｄモデルを備える。
（３）該ポップアップ３Ｄモデルの下端部を上面に装着した内側台紙を備える。
（４）前記表紙の開き動作に連動して該ポップアップ３Ｄモデルの天板を下方から押し上げるポップアップ作動部材を備える。
（５）前記表紙と前記内側台紙は、いずれも前後長さの途中個所において二つ折り可能である。
（６）該内側台紙は、前記表紙の開閉動作に連動して折曲変形して一時上昇するように、前端部が前記表紙の内側面に折曲自在に装着され、後端部が前記台紙の上面に折曲自在に装着されている。
（７）前記ポップアップ作動部材は、前記表紙の内側面と前記台紙の上面とを区切る折曲部を跨る個所に装着されて、前記内側台紙に設けた開口部から前記ポップアップ３Ｄモデル内に突入自在な状態にある。
（８）前記表紙を開き終える直前に、前記ポップアップ３Ｄモデルが前記内側台紙とともに下降し、前記表紙の後部面が水平姿勢になることにより起立した前記ポップアップ作動部材が、平坦に折り畳まれていた前記ポップアップ３Ｄモデルの前記天板部を内側下方から押し上げて、平坦に折り畳まれていたポップアップ３Ｄモデルを上方に押し起こして、ポップアップした中空立体構造にさせるように構成されている。